(57)【特許請求の範囲】
【請求項１】
着脱又は回動可能な蓋を有する容器に収容された感染性廃棄物を処理する感染性廃棄物処理システムであって、
外部空間と遮断された処理室を形成する隔壁部と、
前記隔壁部に設けられた搬入口から前記処理室内に搬入された前記感染性廃棄物を収容する前記容器を搬送する第一搬送装置と、
前記処理室内に設けられ、前記第一搬送装置によって搬送された前記容器の前記蓋を取り除く又は前記蓋を開ける容器開放装置と、
前記処理室内に設けられ、前記蓋が取り除かれた又は前記蓋が開けられた前記容器内から前記感染性廃棄物を取り出す取出装置と、
前記処理室内に設けられ、前記取出装置によって取り出された前記感染性廃棄物を粉砕する粉砕装置と、
前記処理室内に設けられ、前記粉砕装置によって粉砕された前記感染性廃棄物にマイクロウェーブを照射して前記感染性廃棄物を滅菌する廃棄物滅菌装置と、
前記廃棄物滅菌装置で滅菌された前記感染性廃棄物を、前記隔壁部に設けられた廃棄物排出口から前記処理室外へ搬送する第二搬送装置と、
前記処理室内に設けられ、前記取出装置によって前記感染性廃棄物が取り出された前記容器を段積する段積装置と、
前記処理室内に設けられ、前記段積装置によって段積された複数の前記容器を搬送する第三搬送装置と、
前記処理室内に設けられ、前記第三搬送装置によって搬送された前記容器を段積された状態で高温の蒸気で滅菌する容器滅菌装置と、
前記容器滅菌装置で滅菌された前記容器を前記隔壁部に設けられた容器排出口から前記処理室外へ搬送する第四搬送装置と、
を備える感染性廃棄物処理システム。
【請求項２】
前記取出装置は、前記容器の開口部を下方側に向け、前記感染性廃棄物を落下させることによって前記容器内から前記感染性廃棄物を取り出す、請求項１に記載の感染性廃棄物処理システム。
【請求項３】
前記処理室内の気圧を前記外部空間の気圧よりも低くする気圧調整装置を更に備える、請求項１又は２に記載の感染性廃棄物処理システム。
【請求項４】
着脱又は回動可能な蓋を有する容器に収容された感染性廃棄物を処理する感染性廃棄物処理方法であって、
外部空間と遮断された処理室を形成する隔壁部に設けられた搬入口から前記処理室内に搬入された前記感染性廃棄物を収容する前記容器を、第一搬送装置が搬送する第一搬送工程と、
前記処理室内に設けられた容器開放装置が、前記第一搬送装置によって搬送された前記容器の前記蓋を取り除く又は前記蓋を開ける容器開放工程と、
前記処理室内に設けられた取出装置が、前記蓋が取り除かれた又は前記蓋が開けられた前記容器内から前記感染性廃棄物を取り出す取出工程と、
前記処理室内に設けられた粉砕装置が、前記取出装置によって取り出された前記感染性廃棄物を粉砕する粉砕工程と、
前記処理室内に設けられた廃棄物滅菌装置が、前記粉砕装置によって粉砕された前記感染性廃棄物にマイクロウェーブを照射して前記感染性廃棄物を滅菌する廃棄物滅菌工程と、
前記処理室内に設けられた第二搬送装置が、前記廃棄物滅菌工程で滅菌された前記感染性廃棄物を、前記隔壁部に設けられた廃棄物排出口から前記処理室外へ搬送する第二搬送工程と、
前記処理室内に設けられた段積装置が、前記取出装置によって前記感染性廃棄物が取り出された前記容器を段積する段積工程と、
前記処理室内に設けられた第三搬送装置が、前記段積装置によって段積された複数の前記容器を前記処理室内に設けられた容器滅菌装置内へ搬送する第三搬送工程と、
前記容器滅菌装置が、前記感染性廃棄物が取り出された前記容器を段積された状態で高温の蒸気で滅菌する容器滅菌工程と、
第四搬送装置が、前記容器滅菌装置で滅菌された前記容器を前記隔壁部に設けられた容器排出口から前記処理室外へ搬送する第四搬送工程と、
を含む感染性廃棄物処理方法。
【発明の詳細な説明】
【技術分野】
【０００１】
本発明は、感染性廃棄物処理システム、及び、感染性廃棄物処理方法に関する。
【背景技術】
【０００２】
医療機関等から、感染症を引き起こす恐れのある感染性廃棄物が排出される。これらの感染性廃棄物に対して、感染の危険性を取り除くために熱等によって滅菌処理が行われる。このような感染性廃棄物の滅菌処理を行うシステムが、例えば特許文献１に記載されている。
【先行技術文献】
【特許文献】
【０００３】
【特許文献１】特開２００３−１０２８２６号公報
【発明の概要】
【発明が解決しようとする課題】
【０００４】
ここで、感染性廃棄物には注射針等の鋭利なものが含まれている。このため感染性廃棄物は、作業者が運搬中に感染性廃棄物に触れることが無いように密閉された容器に収容されている。容器に収容された感染性廃棄物に対して滅菌処理を行う場合、容器内から感染性廃棄物を取り出すことが考えられるが、作業者が感染性廃棄物に触れてしまう恐れがある。このため、感染性廃棄物を収容する容器ごと、焼却処理している。しかしながら、近年、資源保護の観点からリサイクルの高効率化が求められており、このような廃棄物の有効利用を図ることが求められている。
【０００５】
そこで、本発明は、資源の有効利用が可能な感染性廃棄物処理システム、及び、感染性廃棄物処理方法を提供することを目的とする。
【課題を解決するための手段】
【０００６】
本発明は、着脱又は回動可能な蓋を有する容器に収容された感染性廃棄物を処理する感染性廃棄物処理システムであって、外部空間と遮断された処理室を形成する隔壁部と、隔壁部に設けられた搬入口から処理室内に搬入された感染性廃棄物を収容する容器を搬送する第一搬送装置と、処理室内に設けられ、第一搬送装置によって搬送された容器の蓋を取り除く又は蓋を開ける容器開放装置と、処理室内に設けられ、蓋が取り除かれた又は蓋が開けられた容器内から感染性廃棄物を取り出す取出装置と、処理室内に設けられ、取出装置によって取り出された感染性廃棄物を粉砕する粉砕装置と、処理室内に設けられ、粉砕装置によって粉砕された感染性廃棄物にマイクロウェーブを照射して感染性廃棄物を滅菌する廃棄物滅菌装置と、廃棄物滅菌装置で滅菌された感染性廃棄物を、隔壁部に設けられた廃棄物排出口から処理室外へ搬送する第二搬送装置と、処理室内に設けられ、取出装置によって感染性廃棄物が取り出された容器を段積する段積装置と、処理室内に設けられ、段積装置によって段積された複数の容器を搬送する第三搬送装置と、処理室内に設けられ、第三搬送装置によって搬送された容器を段積された状態で高温の蒸気で滅菌する容器滅菌装置と、容器滅菌装置で滅菌された容器を隔壁部に設けられた容器排出口から処理室外へ搬送する第四搬送装置と、を備える。
【０００７】
また、本発明は、着脱又は回動可能な蓋を有する容器に収容された感染性廃棄物を処理する感染性廃棄物処理方法であって、外部空間と遮断された処理室を形成する隔壁部に設けられた搬入口から処理室内に搬入された感染性廃棄物を収容する容器を、第一搬送装置が搬送する第一搬送工程と、処理室内に設けられた容器開放装置が、第一搬送装置によって搬送された容器の蓋を取り除く又は蓋を開ける容器開放工程と、処理室内に設けられた取出装置が、蓋が取り除かれた又は蓋が開けられた容器内から感染性廃棄物を取り出す取出工程と、処理室内に設けられた粉砕装置が、取出装置によって取り出された感染性廃棄物を粉砕する粉砕工程と、処理室内に設けられた廃棄物滅菌装置が、粉砕装置によって粉砕された感染性廃棄物にマイクロウェーブを照射して感染性廃棄物を滅菌する廃棄物滅菌工程と、処理室内に設けられた第二搬送装置が、廃棄物滅菌工程で滅菌された感染性廃棄物を、隔壁部に設けられた廃棄物排出口から処理室外へ搬送する第二搬送工程と、処理室内に設けられた段積装置が、取出装置によって感染性廃棄物が取り出された容器を段積する段積工程と、処理室内に設けられた第三搬送装置が、段積装置によって段積された複数の容器を処理室内に設けられた容器滅菌装置内へ搬送する第三搬送工程と、容器滅菌装置が、感染性廃棄物が取り出された容器を段積された状態で高温の蒸気で滅菌する容器滅菌工程と、第四搬送装置が、容器滅菌装置で滅菌された容器を隔壁部に設けられた容器排出口から処理室外へ搬送する第四搬送工程と、を含む。
【０００８】
この感染性廃棄物処理システム及び感染性廃棄物処理方法では、容器開放装置によって容器の蓋が取り除かれ又は蓋が開けられ、取出装置によって容器内から感染性廃棄物が取り出される。容器から取り出された感染性廃棄物は廃棄物滅菌装置によって滅菌される。感染性廃棄物が取り出された容器は、容器滅菌装置によって滅菌される。このように、処理室内に設けられた各装置によって容器内から感染性廃棄物が取り出され、容器と感染性廃棄物とが別々に滅菌される。これにより、滅菌された容器を、再度利用することができる。このように感染性廃棄物処理システムでは、資源の有効利用が可能となる。
【０００９】
また、容器の蓋を取り除く等を行う処理、及び、容器から感染性廃棄物を取り出す処理等が外部空間と遮断された処理室内に設けられた各種の装置によって行われるため、作業者が感染性廃棄物に触れる恐れが無い。容器滅菌装置は、容器が段積された状態で滅菌を行う。これにより、容器滅菌装置内において、容器が段積された状態で効率よく複数の容器を滅菌することができる。なお、容器滅菌装置は、高温の蒸気によって滅菌を行う。このため、容器が段積されている場合であっても段積される容器同士の隙間に蒸気が入り込むため、容器滅菌装置を用いて容器全体を効果的に滅菌することができる。粉砕装置によって感染性廃棄物を粉砕することにより、感染性廃棄物を薄く広げることができる。そして広げられた感染性廃棄物に対しマイクロウェーブを照射することにより、感染性廃棄物を効果的に滅菌することができる。
【００１２】
取出装置は、容器の開口部を下方側に向け、感染性廃棄物を落下させることによって容器内から感染性廃棄物を取り出してもよい。この場合には、容器の開口部を下方側に向けることにより、感染性廃棄物を容器内から容易に取り出すことができる。
【００１３】
感染性廃棄物処理システムは、処理室内の気圧を外部空間の気圧よりも低くする気圧調整装置を更に備えていてもよい。この場合には、処理室内で発生した感染性廃棄物の粉塵等が搬入口、廃棄物排出口及び容器排出口から外部空間に放出されることを抑制することができる。
【発明の効果】
【００１４】
本発明によれば、資源の有効利用が可能な感染性廃棄物処理システム、及び、感染性廃棄物処理方法を提供できる。
【図面の簡単な説明】
【００１５】
【図１】一実施形態に係る感染性廃棄物処理システムの概略構成を示す図である。
【図２】感染性廃棄物処理方法の処理の流れを示すフローチャートである。
【発明を実施するための形態】
【００１６】
以下、本発明の一実施形態について図面を参照しながら説明する。なお、図面の説明において同一の要素には同一の符号を付し、重複する説明を省略する。
【００１７】
図１に示すように、感染性廃棄物処理システム１は、隔壁部１０、第一搬送装置２０、容器開放装置３０、取出装置４０、粉砕装置５０、廃棄物滅菌装置６０、第二搬送装置７０、段積装置８０、第三搬送装置９０、容器滅菌装置１００、第四搬送装置１１０及び気圧調整装置１２０を含んで構成されている。感染性廃棄物処理システム１は、医療機関等から排出される感染性の廃棄物を処理する。感染性廃棄物処理システム１は、図示しない処理工場の建屋内に設置されている。
【００１８】
ここで、感染性廃棄物Ｙは、容器Ｘ内に収容されて密閉された状態で感染性廃棄物処理システム１に搬入される。容器Ｘは、本体部Ｘａ、及び、蓋Ｘｂを含んで構成されている。本体部Ｘａは、感染性廃棄物Ｙを収容する。蓋Ｘｂは、本体部Ｘａの開口部を封止する。蓋Ｘｂは、本体部Ｘａ内を密閉することができる。本実施形態において蓋Ｘｂは、搬入口１０ａの開口部の縁部に回動可能に取り付けられている。
【００１９】
なお、蓋Ｘｂは、本体部Ｘａに対して回動可能に取り付けられていることに限定されない。例えば、蓋Ｘｂは本体部Ｘａに対して着脱可能であり、ロック機構等によって本体部Ｘａの開口部を蓋Ｘｂが封止する構成であってもよい。また、容器Ｘは、樹脂によって形成することができる。
【００２０】
感染性廃棄物処理システム１が設置された処理工場内に感染性廃棄物Ｙが搬入された状態では、感染性廃棄物Ｙは容器Ｘ内に収容されているため、処理工場内での作業者が感染性廃棄物Ｙに触れることが無い。
【００２１】
隔壁部１０は、処理工場内において、工場内の空間（以下「外部空間」という）Ｓと遮断された処理室Ｒを形成する。隔壁部１０には、搬入口１０ａ、廃棄物排出口１０ｂ、及び、容器排出口１０ｃが設けられている。容器Ｘは、搬入口１０ａを介して外部空間Ｓから処理室Ｒ内に搬入される。廃棄物滅菌装置６０で滅菌された感染性廃棄物Ｙは、廃棄物排出口１０ｂを介して処理室Ｒから外部空間Ｓへ排出される。容器滅菌装置１００によって滅菌された容器Ｘは、容器排出口１０ｃを介して処理室Ｒから外部空間Ｓへ排出される。
【００２２】
また、隔壁部１０は、感染性廃棄物Ｙ及び容器Ｘの滅菌中においては、作業者の処理室Ｒ内への侵入を遮っている。但し、処理室Ｒ内の各種装置のメンテナンス等のために、作業者が侵入するための開閉可能な出入口等を設けておくことができる。
【００２３】
第一搬送装置２０は、処理室Ｒ内に設けられている。第一搬送装置２０は、作業者によって搬入口１０ａから処理室Ｒ内に搬入された容器Ｘを容器開放装置３０へ搬送する。なお、搬入口１０ａから搬入される容器Ｘ内には、感染性廃棄物Ｙが収容されている。また、容器Ｘは、蓋Ｘｂによって密封されている。
【００２４】
容器開放装置３０は、処理室Ｒ内に設けられている。容器開放装置３０は、第一搬送装置２０によって搬送された容器Ｘの蓋Ｘｂを開ける。なお、蓋Ｘｂが本体部Ｘａに対して着脱可能である場合、容器開放装置３０は本体部Ｘａから蓋Ｘｂを取り外してもよい。
【００２５】
取出装置４０は、処理室Ｒ内に設けられている。取出装置４０は、容器開放装置３０によって蓋Ｘｂが開けられた容器Ｘ内から感染性廃棄物Ｙを取り出す。本実施形態では、蓋Ｘｂが開けられた容器Ｘの開口部を下方側に向け、感染性廃棄物Ｙを落下させることによって容器Ｘ内から感染性廃棄物Ｙを取り出す。容器Ｘから取り出された感染性廃棄物Ｙは、粉砕装置５０へ向けて落下する。落下する感染性廃棄物Ｙが粉砕装置５０へ適切に導かれるように、取出装置４０と粉砕装置５０との間にスロープ等を設けてもよい。
【００２６】
粉砕装置５０は、処理室Ｒ内に設けられている。粉砕装置５０は、取出装置４０から取り出された感染性廃棄物Ｙを粉砕する。粉砕された感染性廃棄物Ｙは、薄く広げられた状態で廃棄物滅菌装置６０へ搬送される。廃棄物滅菌装置６０は、粉砕装置５０で粉砕された感染性廃棄物Ｙにマイクロウェーブを照射し、感染性廃棄物Ｙを滅菌する。滅菌された感染性廃棄物Ｙは、第二搬送装置７０によって搬送され、廃棄物排出口１０ｂを介して処理室Ｒから外部空間Ｓへ排出される。滅菌された感染性廃棄物Ｙは、通常の廃棄物として扱うことが可能となり、廃棄物ボックス等で回収される。回収された滅菌後の感染性廃棄物Ｙは、リサイクル等に利用される。
【００２７】
段積装置８０は、処理室Ｒ内に設けられている。段積装置８０は、取出装置４０によって感染性廃棄物Ｙが取り出された容器Ｘを、パレットＷ上に段積する。段積装置８０は、蓋Ｘｂが開いた状態で容器ＸをパレットＷ上に複数段積する。第三搬送装置９０は、容器Ｘが段積されたパレットＷを容器滅菌装置１００に搬送する。
【００２８】
容器滅菌装置１００は、段積された容器Ｘを高温の蒸気で滅菌する。容器滅菌装置１００として、高温及び高圧の蒸気で滅菌するオートクレーブを用いることができる。滅菌する際の蒸気の温度及び時間等の設定条件は、滅菌対象となる容器Ｘの状態、及び、感染性廃棄物の取り扱いに関する規則等に基づいて設定する。
【００２９】
なお、容器滅菌装置１００は、高温の蒸気によって滅菌を行う。このため、容器Ｘが段積されている場合であっても段積される容器Ｘ同士の隙間に蒸気が入り込むため、容器滅菌装置１００を用いて容器Ｘ全体を効果的に滅菌することができる。また、蓋Ｘｂが開いている状態で滅菌が行われるため、容器Ｘの内側まで蒸気が回り込み、効果的に滅菌することができる。
【００３０】
第四搬送装置１１０は、容器滅菌装置１００で滅菌された容器Ｘを容器排出口１０ｃを介して処理室Ｒから外部空間Ｓへ排出される。滅菌された容器Ｘは、通常の容器として取り扱うことができる。処理室Ｒから排出された容器Ｘは、目視による外観チェック、及び、作業者による仕上げ洗浄等が行われる。その後、容器Ｘは、再び医療機関等へ送られ、感染性廃棄物Ｙを収容するために利用される。なお、図示は省略するが、処理室Ｒから排出されたパレットＷを処理室Ｒ内に戻すための搬送装置が設けられていてもよい。
【００３１】
気圧調整装置１２０は、処理室Ｒ内の気圧を外部空間Ｓよりも低くする。なお、図１では、気圧調整装置１２０が隔壁部１０の上部近傍に設置されているが、気圧調整装置１２０の設置位置は限定されない。
【００３２】
次に、感染性廃棄物処理システム１で行われる感染性廃棄物処理方法の処理の流れについて説明する。図２に示すように、作業者によって搬入された容器Ｘを、第一搬送装置２０が容器開放装置３０へ搬送する（ステップＳ１０１：第一搬送工程）。容器開放装置３０は、第一搬送装置２０によって搬送された容器Ｘの蓋Ｘｂを開ける（ステップＳ１０２：容器開放工程）。取出装置４０は、容器Ｘ内から感染性廃棄物Ｙを取り出す（ステップＳ１０３：取出工程）。粉砕装置５０は感染性廃棄物Ｙを粉砕する（ステップＳ１０４：粉砕工程）。
【００３３】
廃棄物滅菌装置６０は、粉砕された感染性廃棄物Ｙにマイクロウェーブを照射し、感染性廃棄物Ｙを滅菌する（ステップＳ１０５：廃棄物滅菌工程）。第二搬送装置７０は、滅菌された感染性廃棄物Ｙを処理室Ｒ外へ排出する（ステップＳ１０６：第二搬送工程）。
【００３４】
段積装置８０は、感染性廃棄物Ｙが取り出された容器ＸをパレットＷ上に段積する（ステップＳ１０７：段積工程）。第三搬送装置９０は、段積された容器Ｘを容器滅菌装置１００内に搬送する（ステップＳ１０８：第三搬送工程）。容器滅菌装置１００は、容器Ｘが段積された状態で、容器Ｘを高温の蒸気で滅菌する(ステップＳ１０９：容器滅菌工程)。第四搬送装置１１０は、滅菌された容器Ｘを処理室Ｒ外へ搬送する（ステップＳ１１０：第四搬送工程）。
【００３５】
なお、図２では、ステップＳ１０４からステップＳ１０６の工程を行った後、ステップＳ１０７からステップＳ１１０の工程を行うものとしたが、ステップＳ１０４からステップＳ１０６の工程と、ステップＳ１０７からステップＳ１１０の工程とを時間的に並行して行ってもよい。
【００３６】
本実施形態は以上のように構成され、感染性廃棄物処理システム１では、容器開放装置３０によって容器Ｘの蓋Ｘｂが開けられ、取出装置４０によって容器Ｘ内から感染性廃棄物Ｙが取り出される。容器Ｘから取り出された感染性廃棄物Ｙは廃棄物滅菌装置６０によって滅菌される。感染性廃棄物Ｙが取り出された容器Ｘは、容器滅菌装置１００によって滅菌される。このように、処理室Ｒ内に設けられた各装置によって容器Ｘ内から感染性廃棄物Ｙが取り出され、容器Ｘと感染性廃棄物Ｙとが別々に滅菌される。これにより、滅菌された容器Ｘを、再度利用することができる。このように感染性廃棄物処理システム１では、資源の有効利用が可能となる。
【００３７】
また、容器Ｘの蓋Ｘｂを開ける処理、及び、容器Ｘから感染性廃棄物Ｙを取り出す処理等が外部空間と遮断された処理室Ｒ内に設けられた各種の装置によって行われるため、作業者が感染性廃棄物Ｙに触れる恐れが無い。
【００３８】
感染性廃棄物Ｙが取り出された容器Ｘは、段積装置８０によって段積される。容器滅菌装置１００は、容器Ｘが段積された状態で滅菌処理を行う。この場合には、容器滅菌装置１００内において、容器Ｘが段積された状態で効率よく複数の容器を滅菌することができる。なお、容器滅菌装置１００は、高温の蒸気によって滅菌を行う。このため、容器Ｘが段積されている場合であっても段積される容器Ｘ同士の隙間に蒸気が入り込むため、容器滅菌装置１００を用いて容器Ｘ全体を効果的に滅菌することができる。
【００３９】
感染性廃棄物Ｙは、粉砕装置５０によって粉砕される。粉砕装置５０によって感染性廃棄物Ｙを粉砕することにより、感染性廃棄物Ｙを薄く広げることができる。そして廃棄物滅菌装置６０が、広げられた感染性廃棄物Ｙに対しマイクロウェーブを照射することにより、感染性廃棄物Ｙを効果的に滅菌することができる。
【００４０】
取出装置４０は、容器Ｘの開口部を下方側に向けることによって、感染性廃棄物Ｙを取り出す。この場合には、容器Ｘの開口部を下方側に向けることにより、感染性廃棄物Ｙを容器Ｘ内から容易に取り出すことができる。
【００４１】
感染性廃棄物処理システム１は、処理室Ｒ内の気圧を外部空間Ｓの気圧よりも低くする気圧調整装置１２０を備えている。この場合には、処理室Ｒ内で発生した感染性廃棄物Ｙの粉塵等が搬入口１０ａ、廃棄物排出口１０ｂ及び容器排出口１０ｃから外部空間Ｓに放出されることを抑制することができる。
【００４２】
以上、本発明の一実施形態について説明したが、本発明は、上記実施形態に限定されるものではない。例えば、感染性廃棄物Ｙは、袋に入れられた状態で容器Ｘ内に収容されていてもよい。この場合には、取出装置４０において、容器Ｘから感染性廃棄物Ｙを容易に取り出すことができる。
【００４３】
搬入口１０ａ、廃棄物排出口１０ｂ及び容器排出口１０ｃには、開閉可能なシャッター等が設けられていてもよい。図１は、処理室Ｒ内に設置する各装置の配置の一例を示しており、図１に示す配置に限定されない。
【００４４】
また隔壁部１０は、第一搬送装置２０、容器開放装置３０、取出装置４０、粉砕装置５０、廃棄物滅菌装置６０、第二搬送装置７０、段積装置８０、第三搬送装置９０、及び、容器滅菌装置１００を一体として覆うものとしたが、これらの各装置を個別に覆うこともできる。
【符号の説明】
【００４５】
１…感染性廃棄物処理システム、１０…隔壁部、１０ａ…搬入口、１０ｂ…廃棄物排出口、１０ｃ…容器排出口、２０…第一搬送装置、３０…容器開放装置、４０…取出装置、５０…粉砕装置、６０…廃棄物滅菌装置、７０…第二搬送装置、８０…段積装置、９０…第三搬送装置、１００…容器滅菌装置、１１０…第四搬送装置、１２０…気圧調整装置、Ｒ…処理室、Ｓ…外部空間、Ｘ…容器、Ｘｂ…蓋、Ｙ…感染性廃棄物。
【図１】
0006007200.tif 000002
【図２】
0006007200.tif 000003